(57)【特許請求の範囲】
【請求項１】
揺動する扉の開放端付近に設けられたケース本体と、上記ケース本体から突出する一対のラッチ部材と、前記一対のラッチ部材を突出方向に付勢させるラッチ部材戻しバネと、前記一対のラッチ部材を前記ラッチ戻しバネに抗して後退させる回転カムと、前記回転カムに連結されたハンドル部材と、前記回転カムに当接して回転を止める回転ブロックと、前記回転ブロックが前記回転カムに当接する位置と退避した位置との間での移動の抵抗となるダンパーと、前記回転ブロックの前記ダンパーと反対側に取付けられ前記ラッチ部材と平行に前記ケース本体から突出するトリガーと、前記トリガーが前記回転ブロックから離れる方向へ前記ダンパーの復帰バネよりも強い力で付勢するトリガー戻しバネが設けられ、前記扉の開放端が対面する部材には、前記一対のラッチ部材を収容する凹部であるラッチ部材収容部と、前記トリガーが前記トリガー戻しバネに抗して後退した状態で当接するトリガー当接突起が設けられていることを特徴とするラッチ錠。
【請求項２】
前記トリガーは、中央部分が先端に位置する突出部であり、前記突出部の前記扉の揺動方向の両側には傾斜面が設けられて二等辺三角形状に形成され、前記トリガー当接突起は、中央部分が先端に位置する当接面であり、前記当接面の前記扉の揺動方向の両側には傾斜面が設けられて台形状に形成され、前記扉が閉じられる途中で、前記トリガーの一対の前記傾斜面のいずれか一方は前記トリガー当接突起の一方の前記傾斜面に当接し、前記トリガーは前記トリガー戻しバネに抗して後退し、前記扉が閉じられたとき、前記トリガーの突出部が前記トリガー当接突起の当接面に当接し前記トリガーが後退した状態となることを特徴とする請求項１記載のラッチ錠。
【発明の詳細な説明】
【技術分野】
【０００１】
この発明は、揺動する扉の開放端に取付けられ、柱や固定扉等に扉を保持するラッチ錠に関する。
【背景技術】
【０００２】
従来、揺動扉に取り付けられ揺動扉を枠等の固定側に対して両側方向に開くことができるラッチ錠がある。特許文献１に開示されているラッチ錠は、固定側に取り付けるラッチ受け部材と、揺動扉側に取付ける突没自在で且つ一対となる少なくとも２つのラッチ部材とを備え、ラッチ受部材には一対のラッチ部材にそれぞれ対応してラッチヘッド収容部が設けられている。一方のラッチヘッド収容部には、扉の揺動方向左側にラッチ係止部が設けられ、他方のラッチヘッド収容部には、扉の揺動方向右側にラッチ係止部が設けられている。ラッチヘッドの形状は、ラッチ係止部に当接係止する係止面部とラッチ係止部に当接して没入する傾斜面部とからなる略直角三角形に形成されている。一対のラッチ部材のラッチヘッドは、係止面部がそれぞれ係止部側に位置して相互に対称に形成されている。
【特許文献１】特開２００６−２３３４６２号公報
【発明の開示】
【発明が解決しようとする課題】
【０００３】
上記従来の技術の場合、揺動扉を固定側に閉じるとき、ハンドル操作をして一対のラッチヘッドが後退した状態で閉めると、扉が固定側を通り越して反対側へ開くことがあった。これにより、扉を閉めたつもりで開いていたり、また扉を戻して閉め直す手間がかかることがあった。ハンドル操作をせずにラッチヘッドが突出した状態で閉めると、扉が固定側に近づいたときにラッチヘッドがラッチ係止部に押されて後退し、ラッチヘッド収容部に一致したときに突出し、確実に係止されるが、知らずにハンドル操作をすると、扉が固定側を通過してしまうこともあった。
【０００４】
この発明は、上記背景技術の問題点に鑑みてなされたものであり、簡単な構造で扉を閉める際に確実に固定側に係止することができるラッチ錠を提供することを目的とする。
【課題を解決するための手段】
【０００５】
本発明は、揺動する扉の開放端付近に設けられたケース本体と、上記ケース本体から突出する一対のラッチ部材と、前記一対のラッチ部材を突出方向に付勢させるラッチ部材戻しバネと、前記一対のラッチ部材を前記ラッチ戻しバネに抗して後退させる回転カムと、前記回転カムに連結されたハンドル部材と、前記回転カムに当接して回転を止める回転ブロックと、前記回転ブロックが前記回転カムに当接する位置と退避した位置との間での移動の抵抗となるダンパーと、前記回転ブロックの前記ダンパーと反対側に取付けられ前記ラッチ部材と平行に前記ケース本体から突出するトリガーと、前記トリガーが前記回転ブロックから離れる方向へ前記ダンパーの復帰バネよりも強い力で付勢するトリガー戻しバネが設けられ、前記扉の開放端が対面する部材には、前記一対のラッチ部材を収容する凹部であるラッチ部材収容部と、前記トリガーが前記トリガー戻しバネに抗して後退した状態で当接するトリガー当接突起が設けられているラッチ錠である。
【０００６】
また、前記ラッチ部材は、前記扉の揺動方向にほぼ直角に対面する当接面と、前記当接面の先端に連続し先端から離れるに従い前記当接面からの距離が長くなる傾斜面が設けられ、前記一対のラッチ部材は、前記当接面と前記傾斜面が前記扉の揺動方向の反対側に設けられている。
【０００７】
前記ラッチ錠は、前記扉が開いている状態では前記トリガーが突出して前記トリガー戻しバネと前記ダンパーが圧縮されない状態となり、前記回転ブロックが前記回転カムに当接され、前記回転カムの回転を防ぐ。これにより前記一対のラッチ部材は突出した状態に維持され、前記扉を閉じるときに前記ラッチ部材が付勢されて突出しているため、前記ラッチ部材収容部に差し込まれ、閉鎖される。
【０００８】
前記ラッチ錠は、前記扉が閉められた直後では、前記トリガーが前記トリガー当接突起に当接し、先ず弾性変形が容易なコイルバネであるトリガー戻しバネが圧縮され、後退する。このとき、ダンパーは圧縮に時間がかかるため、前記回転ブロックは前記回転カムに当接した状態が維持され、前記回転カムの回転を防ぐ。これにより、ハンドルを操作することができず、ラッチは突出した状態に維持され、確実に前記ラッチ部材収容部に差し込まれ閉鎖される。
【０００９】
前記ラッチ錠は、前記扉が閉められて一定時間が経過した後、前記トリガーが前記トリガー戻しバネの復元力に押されて圧縮される。これに伴い、前記回転ブロックが移動して前記回転カムから離れ、前記回転カムは回転可能となる。これにより、ハンドルを操作することが可能となり、ラッチヘッドを後退させて前記ラッチ部材収容部との係合を解除して、前記扉を開く。
【００１０】
また、前記トリガーは、中央部分が先端に位置する突出部であり、前記突出部の前記扉の揺動方向の両側には傾斜面が設けられて二等辺三角形状に形成され、前記トリガー当接突起は、中央部分が先端に位置する当接面であり、前記当接面の前記扉の揺動方向の両側には傾斜面が設けられて台形状に形成されている。前記扉が閉じられる途中で、前記トリガーの一対の前記傾斜面のいずれか一方は前記トリガー当接突起の一方の前記傾斜面に当接し、前記トリガーは前記トリガー戻しバネに抗して徐々に後退する。そして、前記扉が閉じられたとき、前記トリガーの突出部が前記トリガー当接突起の当接面に当接し、前記トリガーが後退した状態となる。
【発明の効果】
【００１１】
本発明のラッチ錠は、簡単な構造で、扉を閉める位置に対して両方向に扉を開閉することができ、扉を閉めるときに、閉める位置を不用意に通過して反対側へ開くことを防ぎ、扉を確実に閉めることができる。
【発明を実施するための最良の形態】
【００１２】
以下、この発明の実施形態について図面に基づいて説明する。図１〜図８はこの発明の一実施形態を示すもので、この実施形態のラッチ錠１０は、揺動する扉に取付けられる箱体であるケース本体１２が設けられ、ケース本体１２は四角形の側面部１４と、側面部１４の３辺に形成され側面部１４に対してほぼ直角に連続する壁部１６が設けられている。ケース本体１２の、壁部１６が設けられていない一辺には、扉の自由端の端面に面一に取付けられる端面部１８が設けられている。端面部１８は、扉に取り付けた状態で垂直方向に長く形成され、側面部１４に沿って上方から順に、透孔である第一ラッチ部材挿通口２０、トリガー挿通口２２、第二ラッチ部材挿通口２４が、端面部１８を貫通して設けられている。トリガー挿通口２２は、下方の第二ラッチ部材挿通口２４に近い位置に設けられている。なお、壁部１６は、端面部１８に交差する上方が壁部１６ａ、下方が壁部１６ｂとし、端面部１８に対して平行な部分を壁部１６ｃとする。端面部１８は壁部１６ａ，１６ｂよりも少し外側に突出し、突出した部分には取付用の透孔１９がそれぞれ設けられている。
【００１３】
また、端面部１８の内側面には、端面部１８に交差する壁部１６ａ，１６ｂとの角部である２箇所と、第一ラッチ部材挿通口２０とトリガー挿通口２２の間の1箇所に、厚肉の部分が形成されそこに側面部１４に対してほぼ直角に貫通するネジ穴２６が各々形成されている。また、端面部１８に対して平行に位置する壁部１６ｃの２箇所にも、肉厚の部分が形成されそこにネジ穴２６が設けられている。
【００１４】
側面部１４の内側面には、第一ラッチ部材挿通口２０の近傍で少し側面部１４の中心寄りの位置に、第一保持突起２８が形成されている。第一保持突起２８には、図示しないハンドルの取付部材を取り付ける透孔２９が、側面部１４を貫通して形成されている。壁部１６ａの、第一保持突起２８よりも壁部１６ｃに近い部分には第一軸受け部３０が設けられている。第一軸受け部３０は、壁部１６ａの内側面からほぼ直角に突出している。第一ラッチ部材挿通口２０の内周面には、筒状のラッチガイド３１が嵌合されて設けられている。
【００１５】
第一ラッチ部材挿通口２０には、ラッチガイド３１の内側に、第一ラッチ部材３２が突没可能に設けられている。第一ラッチ部材３２は、断面が矩形の棒状の本体３４が設けられ、本体３４は壁部１６ａに対して平行にセットされ、本体３４の、第一ラッチ部材挿通口２０側の端部は、ラッチヘッド部３６が一体に形成されている。ラッチヘッド部３６は、取付状態で垂直方向に一定の断面形状であり、水平方向の断面形状は、図３Ａに示すように、側面部１４に近い部分が側面部１４に対して平行な当接面３６ａであり、側面部１４と反対側の部分が当接面３６ａの先端に連続し当接面３６ａに対して鋭角に交差する傾斜面３６ｂとなっている。本体３４の、ラッチヘッド部３６と反対側の端部は二股に分岐して壁部１６ｃに向かって延出し、壁部１６ａに近い部分は円柱形状の軸部３８が形成され、軸部３８の先端にはフランジ部３９が一周して形成されている。軸部３８は、壁部１６ａの第一軸受け部３０に摺動可能に保持され、フランジ部３９は第一軸受け部３０の外側に位置している。軸部３８には、コイルバネである第一ラッチ部材戻しバネ４０が巻き回されて設けられている。第一ラッチ部材戻しバネ４０は、本体３４の端部と第一軸受け部３０の間で適度に圧縮され、第一ラッチ部材３２を第一ラッチ部材挿通口２０の外側へ向かって付勢している。第一ラッチ部材３２は軸部３８のフランジ部３９が第一軸受け部３０に係止されるため、第一ラッチ部材挿通口２０から外側へ外れることがない。第一ラッチ部材３２の、分岐された他方の部分は、後述する第一連動カム１００が差し込まれる凹部４２が壁部１６ａの反対側に開口して形成され、凹部４２の本体３４と離れた部分の内周面は、第一連動カム１００が当接する板部４４となっている。
【００１６】
トリガー挿通口２２には、トリガー４６が突没可能に設けられている。トリガー４６は、取付状態で垂直方向に一定の断面形状であり、水平方向の断面形状は、図３Ｂに示すように、中央部分が先端に位置する突出部４６ａであり、突出部４６ａの側面部１４側に連続する傾斜面４６ｂと反対側に連続する傾斜面４６ｃが設けられて二等辺三角形状に形成されている。なお、トリガー４６は垂直方向の長さはラッチヘッド部３６よりも短く形成されている。トリガー４６の突出部４６ａと反対側の端部には、下方に突出する板部４８が設けられ、板部４８には後述するコイルバネであるトリガー戻しバネ６１が嵌合される円筒形の凹部５０が設けられている。
【００１７】
トリガー４６の突出部４６ａと反対側の近傍には、回転ブロック５２が取り付けられている。回転ブロック５２は、トリガー４６の突出方向に対して平行な保持板５４が設けられている。保持板５４のトリガー４６側の端部には、トリガー４６の板部４８の外側に重ねられる係止突部５６が設けられ、保持板５４の反対側の端部には矩形のブロック部５８が設けられている。ブロック部５８には、後述するトリガー戻しバネ６１の内側に嵌合される軸部６０が設けられている。トリガー４６の板部４８と、回転ブロック５２の保持板５４、ブロック部５８で囲まれた空間には、トリガー戻しバネ６１が取り付けられている。トリガー戻しバネ６１の一端部は、トリガー４６の板部４８の凹部５０に差し込まれ、他端部は回転ブロック５２のブロック部５８の軸部６０が差し込まれ、トリガー４６とブロック部５８の間で適度に圧縮され、トリガー４６をトリガー挿通口２２の外側へ向かって付勢している。トリガー４６は、板部４８が回転ブロック５２の係止突部５６に係止されるため、トリガー挿通口２２から外側へ外れることがない。
【００１８】
ブロック部５８の、ケース本体１２の壁部１６ａ側の上面には、後述する回転カム７０に当接して回転をブロックする当接凹凸部６２が形成されている。ブロック部５８の、保持板５４と反対側の端部、つまり壁部１６ｃ側の端部には、側面部１４に近い部分に厚みが薄いロッド取付部６４が一体に設けられている。なお、側面部１４の内側面には、第二ラッチ部材挿通口２４の近傍で少し側面部１４の中心寄りの位置に、第一保持突起２８と対称形状の第二保持突起５３が形成され、第二保持突起５３には、図示しないハンドルの取付部材を取り付ける透孔５５が、側面部１４を貫通して形成されている。そして、回転ブロック５２の壁部１６ｂ側の下面は、第二保持突起５３に摺動可能に当接し、保持されている。
【００１９】
回転ブロック５２の、ロッド取付部６４にはロッド６６が連結され、ロッド６６の先端にはダンパー６８が設けられている。ダンパー６８とロッド６６は、トリガー４６の突出方向に対して平行に設けられ、ダンパー６８のロッド６６と反対側の端部は、壁部１６ｃに当接されている。なお、側面部１４にはダンパー６８を嵌合する保持部６９が設けられ、ダンパー６８は保持部６９に嵌合されて保持されている。
【００２０】
側面部１４には、中心よりも少し端面部１８に近い部分で、第一ラッチ部材３２と回転ブロック５２の間に、図示しない円形の透孔が設けられ、この透孔に回転可能に回転カム７０が設けられている。回転カム７０は、円形の透孔に嵌合される短い円柱状の軸部７２が設けられ、軸部７２の中心に四角柱の挿通孔７４が軸部７２の軸方向に沿って貫通して形成されている。挿通孔７４には図示しないハンドルの四角柱状の回転軸が挿通される。
【００２１】
回転カム７０には、回転ブロック５２のブロック部５８に形成された当接凹凸部６２に当接する当接突起７６が設けられている。当接突起７６は、挿通孔７４よりも端面部１８に近い位置に形成され、挿通孔７４を中心軸として図２において反時計回りの接線方向に、つまり壁部１６ａから壁部１６ｂに向かう方向に突出し、当接凹凸部６２に当接している。
【００２２】
回転カム７０の挿通孔７４の上方、つまり壁部１６ａに近い位置には、挿通孔７４を中心軸としてほぼ放射方向に、第一ラッチ部材挿通口２０付近に向かって押し部７８が延出して形成されている。なお、端面部１８のトリガー挿通口２２の上端縁部の内側には、回転カム７０に向かって突出するバネ保持部８０が設けられ、バネ保持部８０には、押し部７８と対向する面に後述する回転カム戻しバネ８６が嵌合される円筒形の凹部８２が設けられている。押し部７８の、バネ保持部８０と対面する面には、後述する回転カム戻しバネ８６の内側に嵌合される軸部８４が設けられている。
【００２３】
端面部１８のバネ保持部８０と、回転カム７０の押し部７８の間には、回転カム戻しバネ８６が取り付けられている。回転カム戻しバネ８６はコイルバネであり、一端部は端面部１８のバネ保持部８０の凹部８２に差し込まれ、他端部は回転カム７０の押し部７８の軸部８４が差し込まれ、バネ保持部８０と押し部７８の間で適度に圧縮され、回転カム７０を図２において挿通孔７４を中心とする時計回りに付勢している。
【００２４】
押し部７８の基端部には、時計回り側に、Ｌ字形に切り欠かれて設けられた当接面８８が設けられている。なお、側面部１４には、当接面８８に対面する係止突起９０が設けられている。回転カム７０は、当接面８８が係止突起９０に係止されるため、所定角度で回転が止められている。
【００２５】
回転カム７０の、挿通孔７４よりも壁部１６ｃに近い位置には、挿通孔７４を中心軸としてほぼ放射方向に、回転突起９２が壁部１６ｃに向かって略水平方向に延出して形成されている。回転突起９２は、幅広の矩形に形成され、上下に位置する一対の角部は面取りされ、上方の角部は後述する第一連動カム１００に当接して回転させる操作部９４となる。
【００２６】
側面部１４の、回転カム７０と壁部１６ｃの間には、側面部１４に対してほぼ直角に突出する円柱状の軸部９６，９８が設けられ、軸部９６は回転カム７０の回転突起９２の操作部９４近傍に設けられ、軸部９８は、軸部９６の下方、つまり壁部１６ｂに近い位置に設けられている。
【００２７】
軸部９６には、第一連動カム１００が設けられている。第一連動カム１００は、側面部１４に対して平行な形状が略Ｖ字形に形成され、交差する中心部に透孔が形成され軸部９６に挿通されて軸止されている。第一連動カム１００の、軸部９６近傍の側周面には、部分的に歯車部１１４が設けられている。
【００２８】
第一連動カム１００の一方の端部は第一ラッチ部材３２に向かって延出する操作突起１０２が形成されている。操作突起１０２の先端は、第一ラッチ部材３２の凹部４２に差し込まれ、板部４４に対面する部分が板部４４側に僅かに膨出している。操作突起１０２の基端部付近は、回転カム７０の回転突起９２に向かって膨出し回転突起９２の基端部に当接する係止突起１０３となっている。係止突起１０３よりも軸部９６に近い位置で操作部９４に対向する部分は、操作部９４を僅かなゆとりを有して嵌合する操作凹部１０４が形成されている。
【００２９】
第一連動カム１００の、他方の端部は、壁部１６ｃに向かって延出する押し部１０６が形成されている。なお、壁部１６ｃの押し部１０６よりも下方の位置には、側面部１４中心に向かって突出するバネ保持部１０８が設けられ、バネ保持部１０８には、第一連動カム１００の押し部１０６と対向する面に、後述する第一連動カム戻しバネ１１６が嵌合される円筒形の凹部１１０が設けられている。押し部１０６の、バネ保持部１０８と対面する面には、後述する第一連動カム戻しバネ１１６の内側に嵌合される軸部１１２が設けられている。
【００３０】
壁部１６ｃのバネ保持部１０８と、第一連動カム１００の押し部１０６の間には、第一連動カム戻しバネ１１６が取付けられている。第一連動カム戻しバネ１１６はコイルバネであり、一端部は壁部１６ｃのバネ保持部１０８の凹部１１０に差し込まれ、他端部は第一連動カム１００の押し部１０６の軸部１１２が差し込まれ、バネ保持部１０８と押し部１０６の間で適度に圧縮され、第一連動カム１００を図２において軸部９６を中心とする反時計周りに付勢している。第一連動カム１００は、係止突起１０３が回転カム７０に当接して係止され、所定角度で回転が止められている。
【００３１】
第一連動カム１００の下方には、第二連動カム１１８が設けられている。第二連動カム１１８は、側面部１４に対して平行な形状が略Ｖ字形に形成され、一端部に透孔が形成され軸部９８に挿通されて軸止されている。
【００３２】
第二連動カム１１８は、軸部９８に軸止された端部から、回転カム７０の下方へ向かって斜めに延出し、回転カム７０の回転突起９２を通過した付近で折り曲げられて壁部１６ｂに向かい、ダンパー６８とロッド６６を通過して、後述する第二ラッチ部材１２４に向かって延出し、先端部は操作突起１２０となる。操作突起１２０は、後述する第二ラッチ部材１２４の凹部１３６に差し込まれ、先端は僅かに外側に膨出している。第二連動カム１１８の、軸部９８近傍の側周面には、第一連動カム１００の歯車部１１４に組み合わされる歯車部１２２が設けられている。第二連動カム１１８は、歯車部１２２が第一連動カム１００の歯車部１１４に組み合わされて係止され、所定角度で回転が止められている。また、第一連動カム１００が回転するときは、それに伴い第二連動カム１１８も回転する。
【００３３】
壁部１６ｂには、壁部１６ａの第一軸受け部３０に対向する位置に、第二軸受け部１２３が設けられている。第二軸受け部１２３は、壁部１６ｂの内側面からほぼ直角に突出している。第二ラッチ部材挿通口２４の内周面には、第一ラッチ部材挿通口２０と同様に筒状のラッチガイド３１が嵌合されて設けられている。
【００３４】
第二ラッチ部材挿通口２４には、ラッチガイド３１の内側に、第二ラッチ部材１２４が突没可能に設けられている。第二ラッチ部材１２４は、断面が矩形の棒状の本体１２６が設けられ、本体１２６は壁部１６ｂに対して平行にセットされ、本体１２６の、第二ラッチ部材挿通口２４側の端部は、ラッチヘッド部１２８が一体に形成されている。ラッチヘッド部１２８は、取付状態で垂直方向に一定の断面形状であり、水平方向の断面形状は、図３Ｃに示すように、側面部１４と反対側の部分が側面部１４に対して平行な当接面１２８ａであり、側面部１４と反対側の部分が当接面１２８ａの先端に連続し当接面１２８ａに対して鋭角に交差する傾斜面１２８ｂとなっている。本体１２６の、ラッチヘッド部１２８と反対側の端部は二股に分岐して壁部１６ｃに向かって延出し、壁部１６ｂに近い部分は円柱形状の軸部１３０が形成され、軸部１３０の先端にはフランジ部１３２が一周して形成されている。軸部１３０は、壁部１６ｂの第二軸受け部１２３に摺動可能に保持され、フランジ部１３２は第二軸受け部１２３の外側に位置している。軸部１３０には、コイルバネである第二ラッチ部材戻しバネ１３４が巻き回されて設けられている。第二ラッチ部材戻しバネ１３４は、本体１２６の端部と第二軸受け部１２３の間で適度に圧縮され、第二ラッチ部材１２４を第二ラッチ部材挿通口２４の外側へ向かって付勢している。第二ラッチ部材１２４は軸部１３０のフランジ部１３２が第二軸受け部１２３に係止されるため、第二ラッチ部材挿通口２４から外側へ外れることがない。第二ラッチ部材１２４の、分岐された他方の部分は、第二連動カム１１８が差し込まれる凹部１３６が壁部１６ｂと反対側に開口して形成され、凹部１３６の本体１２６と離れた部分の内周面は、第二連動カム１１８が当接する板部１３８となっている。
【００３５】
ラッチ錠１０のケース本体１２には、壁部１６と端面部１８で囲まれた開口部を覆う蓋部材１４０が設けられている。蓋部材１４０は、ケース本体１２の開口部を閉鎖する一枚の板体であり、ケース本体１２のネジ穴２６に連通する透孔１４２が５個設けられている。また、回転カム７０の軸部７２が回転可能に嵌合される円形の透孔１４４が設けられている。透孔１４４の上下の位置には、ケース本体１２の第一保持突起２８の透孔２９と、第二保持突起５３の透孔５５に連通する透孔１４６，１４８が形成されている。蓋部材１４０の内側面には、ケース本体１２の第一保持突起２８、第二保持突起５３、第一軸受け部３０、第二軸受け部１２３等に対向する突起が適宜形成されている。蓋部材１４０は、透孔１４２に図示しないネジを差し込んでケース本体１２に固定されている。また、側面部１４と蓋部材１４０の透孔１４４には回転カム７０の軸部７２が露出し、軸部７２の挿通孔７４に図示しない軸部材が嵌合されて挿通され、この軸部材に図示しない操作用のハンドルが取り付けられている。
【００３６】
ラッチ錠１０は、このように組み立てられ、揺動する扉の開放端に取付けられる。開放端の端面に、ケース本体１２の端面部１８が面一となるように埋め込み、透孔１９にネジなどを差し込んで固定する。ラッチ錠１０は、上下を逆にして取付けてもよい。
【００３７】
ラッチ錠１０が取付けられた扉が閉められる柱や固定扉等には、ラッチ受け部材１５０が取付けられている。ここでラッチ受け部材１５０について説明する。ラッチ受け部材１５０は、取付状態で上下方向に長い矩形のブロック体であり、上下の端部近傍には取付用の透孔１５２が各々形成されている。ラッチ受け部材１５０の上下方向の中心部分には、トリガー当接突起１５４が一体に形成されている。トリガー当接突起１５４は、垂直方向に一定の断面形状であり、水平方向の断面形状は、中央部分が外側に突出し突出方向に直角で垂直方向に長く形成されている当接面１５４ａである。当接面１５４ａの図１において右側、つまりケース本体１２に対面したとき側面部１４側には、当接面１５４ａから離れるに従い突出量が少ない傾斜面１５４ｂが連続し、当接面１５４ａの左側は、当接面１５４ａから離れるに従い突出量が少ない傾斜面１５４ｃが連続し、台形状に形成されている。
【００３８】
ラッチ受け部材１５０の、トリガー当接突起１５４より上方には、透孔１５２との間に、第一ラッチ部材収容部１５６が設けられている。第一ラッチ部材収容部１５６は、図１において左側に切り欠かれて開口され、右側の内側面は垂直でトリガー当接突起１５４の当接面１５４ａに対して直角な当接面１５６ａが形成されている。
【００３９】
ラッチ受け部材１５０の、トリガー当接突起１５４より下方には、透孔１５２との間に、第二ラッチ部材収容部１５８が設けられている。第二ラッチ部材収容部１５８は、図１において右側に切り欠かれて開口され、左側の内側面は垂直でトリガー当接突起１５４の当接面１５４ａに対して直角な当接面１５８ａが形成されている。なお、ラッチ受け部材１５０は、上下を逆にして取付けてもよい。
【００４０】
次に、この実施形態のラッチ錠１０の動作について説明する。ラッチ錠１０を取付けた扉が、ラッチ受け部材１５０を取付けた柱等から開いているとき、図２、図３に示すように、図２Ａに示す第一ラッチ部材３２、図２Ｂに示すトリガー４６、図２Ｃに示す第二ラッチ部材１２４は、突出した状態である。このとき、トリガー４６に連結された回転ブロック５２はダンパー６８が突出した状態であるため、回転カム７０の当接突起７６に当接凹凸部６２が対向して係止し、回転カム７０の回転を止めている。回転カム７０が回転しないため、ハンドルを操作することが不可能となり、第一ラッチ部材３２、第二ラッチ部材１２４を後退することが不可能となる。
【００４１】
次に、扉を柱等に閉めるときについて説明する。例えば図１においてラッチ受け部材１５０の左側から閉めるとき、つまりラッチ受け部材１５０に対してケース本体１２の側面部１４側から近づいて閉めるとき、第一ラッチ部材３２と第二ラッチ部材１２４が突出した状態でラッチ受け部材１５０の左側に当接し、第一ラッチ部材３２は第一ラッチ部材収容部１５６が左側に開口しているため第一ラッチ部材収容部１５６に入り当接面１５６ａに当たって係止される。第二ラッチ部材１２４は、ラッチ受け部材１５０の第二ラッチ部材収容部１５８近傍の側面に当たり、第二ラッチ部材１２４のラッチヘッド部１２８の傾斜面１２８ｂが押されて第二ラッチ部材戻しバネ１３４が圧縮されて第二ラッチ部材１２４が後退し、ラッチ受け部材１５０の側面を乗り越えて第二ラッチ部材収容部１５８に入り、その後、第二ラッチ部材戻しバネ１３４が復元されて第二ラッチ部材１２４が第二ラッチ部材収容部１５８が収容される。このとき、図４、図５に示すように、第一ラッチ部材３２と第二ラッチ部材１２４が、互いに反対側に開口されている第一ラッチ部材収容部１５６、第二ラッチ部材収容部１５８に収容され、当接面１５６ａ，１５８ａに当接し、確実にラッチ受け部材１５０に係止される。
【００４２】
そして、トリガー４６の傾斜面４６ｂはトリガー当接突起１５４の傾斜面１５４ｃにあたり、押されてトリガー戻しバネ６１が圧縮されてトリガー４６が後退し、トリガー当接突起１５４の当接面１５４ａにトリガー４６の突出部４６ａが当接して後退した状態が維持される。このとき、閉じた直後では、容易に弾性変形するトリガー戻しバネ６１が圧縮されるとともに、ダンパー６８が抵抗となって回転ブロック５２はゆっくりと後退する。このため、回転カム７０の当接突起７６に当接凹凸部６２が対向して係止し、回転カム７０の回転を止めている。回転カム７０が回転しないため、ハンドルを操作することが不可能であり、第一ラッチ部材３２、第二ラッチ部材１２４を後退することができず、この点からも確実にラッチ受け部材１５０に係止される。なお、図１においてラッチ受け部材１５０の右側から閉めるときも同様である。
【００４３】
次に、扉を閉めて一定時間が経過した後について説明する。扉を閉めた後、図６に示すように、ダンパー６８は、圧縮されたトリガー戻しバネ６１により圧縮方向に力が加えられ、徐々にロッド６６が後退し、それに伴い、トリガー戻しバネ６１が復元し長くなる。これにより、回転ブロック５２がダンパー６８側へ移動し、回転カム７０の当接突起７６から回転ブロック５２のブロック部５８の当接凹凸部６２が離れ、回転カム７０が回転可能な状態となる。回転カム７０が回転可能になると、図示しないハンドル操作により第一ラッチ部材３２、第二ラッチ部材１２４を後退させることができる状態となる。しかし、ハンドル操作をしないときは、回転カム７０は回転カム戻しバネ８６により係止状態と同じ位置に付勢されてとまり、第一連動カム１００も第一連動カム戻しバネ１１６により第一ラッチ部材３２から離れ係止突起１０３が回転カム７０に当接した位置に付勢されてとまり、不用意に扉が開くことがない。
【００４４】
扉を開けるときは、図示しないハンドルを操作して、回転カム７０を軸部７２中心に、回転カム戻しバネ８６に抗して反時計周りに回転させる。すると、図７に示すように、回転カム７０の回転突起９２の操作部９４が、第一連動カム１００の操作凹部１０４を押して、第一連動カム１００を軸部９６を中心に、第一連動カム戻しバネ１１６に抗して時計回りに回転させる。すると第一連動カム１００の操作突起１０２が第一ラッチ部材３２の板部４４を押して第一ラッチ部材戻しバネ４０に抗して後退させる。このとき、第二連動カム１１８の歯車部１２２は第一連動カム１００の歯車部１１４に組み合わされているため、第一連動カム１００の回転に伴い、第二連動カム１１８は軸部９８を中心に、反時計回りに回転する。すると、第二連動カム１１８の操作突起１２０が第二ラッチ部材１２４の板部１３８を押して第二ラッチ部材戻しバネ１３４に抗して後退させる。
【００４５】
このとき、図８に示すように第一ラッチ部材３２と第二ラッチ部材１２４を後退させて、ラッチヘッド部３６，１２８をラッチ受け部材１５０の第一ラッチ部材収容部１５６、第二ラッチ部材収容部１５８から引き抜いて係合を解除し、ラッチ受け部材１５０の左右のどちら側にも開くことができる。
【００４６】
この実施形態のラッチ錠１０によれば、簡単な構造で、扉を閉める位置に対して両方向に扉を開閉することができ、扉を閉めるときは、閉める位置を不用意に通過して反対側へ開くことを防ぎ、扉を確実に閉めることができる。扉をしめたつもりで開いていたりすることが無く、また扉を戻して閉め直す手間がかからないものである。
【００４７】
なお、この発明のラッチ錠は、上記各実施の形態に限定されるものではなく、各部材の形状や取付位置は、適宜変更可能である。回転カムを回転させるハンドルの構造は、自由に設定可能であり、扉に対してハンドルを押すと回転カムが回転する構造としても良い。ラッチ錠は、いろいろな用途の扉に取付けることができ、ラッチ受け部材を取付けるものは、固定扉や枠、門扉など自由に変更可能である。扉を閉めてからハンドル操作が可能となるために必要な時間は、ダンパーやトリガー戻しバネの強さを変更して調整することができる。
【図面の簡単な説明】
【００４８】
【図１】この発明の一実施形態のラッチ錠の分解斜視図である。
【図２】この実施形態のラッチ錠の、ラッチ錠を取り付けた扉が開けられている状態を示す正面図である。
【図３】図２のＡ、Ｂ、Ｃから見た底面図である。
【図４】この実施形態のラッチ錠の、ラッチ錠を取り付けた扉が閉められた直後の状態を示す正面図である。
【図５】図４のＡ、Ｂ、Ｃから見た底面図である。
【図６】この実施形態のラッチ錠の、ラッチ錠を取り付けた扉が閉められたあと所定時間が経過した状態を示す正面図である。
【図７】この実施形態のラッチ錠の、ラッチ錠を取り付けた扉を開ける操作を行った状態を示す正面図である。
【図８】図７のＡ、Ｂ、Ｃから見た底面図である。
【符号の説明】
【００４９】
１０  ラッチ錠
１２  ケース本体
２０  第一ラッチ部材挿通口
２２  トリガー挿通口
２４  第二ラッチ部材挿通口
３２  第一ラッチ部材
４０  第一ラッチ部材戻しバネ
４６  トリガー
５２  回転ブロック
５８  ブロック部
６１  トリガー戻しバネ
７０  回転カム
６８  ダンパー
１００  第一連動カム
１１８  第二連動カム
１２４  第二ラッチ部材
１３４  第二ラッチ部材戻しバネ
１５０  ラッチ受け
１５４  トリガー当接突起
１５６  第一ラッチ部材収容部
１５８  第二ラッチ部材収容部
【図１】
0004623680.tif 000002
【図２】
0004623680.tif 000003
【図３】
0004623680.tif 000004
【図４】
0004623680.tif 000005
【図５】
0004623680.tif 000006
【図６】
0004623680.tif 000007
【図７】
0004623680.tif 000008
【図８】
0004623680.tif 000009